(57)【要約】【課題】開封保持用嵌合凸部および嵌合凹部によることなく、確実に蓋を開封状態に保持する。【解決手段】容器蓋は、容器本体11口部の開封予定部に被覆される可動部32と、容器本体11口部の開封予定部以外の部分に被覆される固定部33とを備えている。可動部32および固定部33の境界に、帯板状蓋開閉動作用屈曲部31が設けられている。屈曲部32の長さの中央部に、下向き膨出状保形部51が設けられている。屈曲部32の長さの中央部の開閉は保形部51によって拘束されるが、屈曲部32の長さの両端部の開閉は自在であるようになされている。【選択図】図７
2009107662.tif 000002
【特許請求の範囲】
【請求項１】
容器本体口部の開封予定部に被覆される可動部と、容器本体口部の開封予定部以外の部分に被覆される固定部とを備えており、可動部および固定部の境界に、帯板状蓋開閉動作用屈曲部が設けられており、屈曲部の長さの中央部に、下向き膨出状保形部が設けられており、屈曲部の長さの中央部の開閉は保形部によって拘束されるが、屈曲部の長さの両端部の開閉は自在であるようになされている容器蓋。
【請求項２】
可動部が、開封予定部に対し開封可能であり、固定部が、容器本体口部の開封予定部以外の部分に対し開封不能である請求項１に記載の容器蓋。
【請求項３】
屈曲部が、横断面Ｖ字、Ｕ字またはＣ字のような山形状をなしている請求項１または２に記載の容器蓋。
【請求項４】
容器本体口部にはめ入れられる側板と、側板の下端に連なる天板とを備えており、屈曲部の頂部は、側板上端の対応する２か所の対向部分を連絡しており、屈曲部の底部は、天板の対応する部分から立上がらされている請求項１〜３のいずれか１つに記載の容器蓋。
【請求項５】
保形部は、屈曲部の幅方向にのびた軸線を有する半円形の横断面を有している請求項１〜４のいずれか１つに記載の容器蓋。
【請求項６】
可動部および固定部の少なくともいずれか一方の天板に、補強リブが設けられている請求項１〜５のいずれか１つに記載の容器蓋。
【発明の詳細な説明】
【技術分野】
【０００１】
この発明は、例えば、ヨーグルトのような食品を収容するための容器の蓋、詳しくは、再封可能に開封され、開封時に開放状態に保持しうる容器蓋に関する。
【背景技術】
【０００２】
この種の容器としては、容器本体および蓋の一方に嵌合凸部が、その他方に嵌合凹部が設けられており、開放時に、嵌合凸部および嵌合凹部をはめ合わせ、これにより、蓋を開封状態に保持するようにしているものが知られている（例えば、特許文献１または特許文献２参照。）。
【０００３】
上記容器では、容器本体および蓋に、わざわざ、嵌合凸部および嵌合凹部を設ける必要がある。また、嵌合凸部および嵌合凹部の成形精度が悪ければ、嵌合凸部および嵌合凹部をはめ合わせることができず、嵌合凸部および嵌合凹部のはめ合いが不用意に外れると、蓋を開封状態に保持することができない。さらに、嵌合凸部および嵌合凹部をはめ合わせる手間が面倒である。
【特許文献１】特開２００１−１８０７１２号公報
【特許文献２】特開２００１−２７８３００号公報
【発明の開示】
【発明が解決しようとする課題】
【０００４】
この発明の目的は、容器本体および蓋に、開封保持用嵌合凸部および嵌合凹部を設ける必要が無く、確実に蓋を開封状態に保持することができ、嵌合凸部および嵌合凹部の嵌合動作を必要としない容器蓋を提供することにある。
【課題を解決するための手段】
【０００５】
この発明による容器蓋は、容器本体口部の開封予定部に被覆される可動部と、容器本体口部の開封予定部以外の部分に被覆される固定部とを備えており、可動部および固定部の境界に、帯板状蓋開閉動作用屈曲部が設けられており、屈曲部の長さの中央部に、下向き膨出状保形部が設けられており、屈曲部の長さの中央部の開閉は保形部によって拘束されるが、屈曲部の長さの両端部の開閉は自在であるようになされているものである。
【０００６】
この発明による容器蓋では、可動部を開封するように屈曲部を変形させると、屈曲部の長さの中央部は開かれないで、屈曲部の形はそのままであるが、屈曲部の長さの両端部は開かれて、屈曲部の長さの両端部のなす形がほぼ一直線状となって、屈曲部の長さの両端部は突っ張られるように作用して、可動部を開封した状態が保持される。したがって、容器本体および蓋に、嵌合凸部および嵌合凹部を設ける必要が無く、確実に蓋を開封状態に保持することができ、嵌合凸部および嵌合凹部の嵌合動作を必要としない。
【０００７】
さらに、可動部が、開封予定部に対し開封可能であり、固定部が、容器本体口部の開封予定部以外の部分に対し開封不能であることが好ましい。
【０００８】
また、屈曲部が、横断面Ｖ字、Ｕ字またはＣ字のような山形状をなしていることが好ましい。
【０００９】
また、容器本体口部にはめ入れられる側板と、側板の下端に連なる天板とを備えており、屈曲部の頂部は、側板上端の対応する２か所の対向部分を連絡しており、屈曲部の底部は、天板の対応する部分から立上がらされていると、屈曲部をスムースに変形させることができる。
【００１０】
また、保形部は、屈曲部の幅方向にのびた軸線を有する半円形の横断面を有していると、保形部の下端部がほぼ水平となるため、保形部によって屈曲部の変形を効率良く拘束することができる。
【００１１】
また、可動部および固定部の少なくともいずれか一方の天板に、補強リブが設けられていると、補強リブによって、可動部または固定部の変形を防止できるため、可動部を開封した状態に確実に保持することができる。
【発明の効果】
【００１２】
この発明によれば、容器本体および蓋に、嵌合凸部および嵌合凹部を設ける必要が無く、確実に蓋を開封状態に保持することができ、嵌合凸部および嵌合凹部の嵌合動作を必要としない容器蓋が提供される。
【発明を実施するための最良の形態】
【００１３】
この発明の実施の形態を図面を参照しながらつぎに説明する。
【００１４】
図１〜図８に、第１の実施の形態による容器が示されている。
【００１５】
この容器は、カップ状容器本体11と、容器本体11の口部に被覆されている蓋12とよりなる。容器本体11および蓋12は、いずれも、ヒートシールを可能とする材料、例えば、ポリプロピレンによって成形されたものである。
【００１６】
容器本体11は、平面視楕円状のもので、口縁部にフランジ21を有している。容器本体11の胴壁内面上端には環状嵌合凹部22が形成されている。
【００１７】
蓋12の長さ方向中央から偏ったところに屈曲部31が蓋12を幅方向に横断するように設けられている。屈曲部31を挟んでその一方の側に可動部32が形成され、その他方の側に固定部33が形成されている。可動部32の面積は、固定部33の面積よりも大である。
【００１８】
可動部32および固定部33は、容器本体11口部にはめ入れられている側板41と、側板41の下端に連なる天板42とを備えている。
【００１９】
側板41の上端には、容器本体11のフランジ21にヒートシールされたフランジ43が設けられている。フランジ43の外周にはスカート44が設けられている。スカート44の下端の一部には摘み45が設けられている。側板41外面の上部には、嵌合凹部22にはめ入れられた環状嵌合凸部46が設けられている。
【００２０】
屈曲部31は、横断面逆Ｖ字状をなす帯板状のもので、側板41の高さに等しい高さを有している。屈曲部31のなすＶ字の角度は、ほぼ９０度である。屈曲部31の頂部は、側板41上端の対応する２か所の対向部分を連絡している。屈曲部31の底部は、天板42の対応する部分から立上がらされている。屈曲部31の両端は、側板41と一体化されているが、側板41の、屈曲部31のなすＶ字形の内側を臨む部分には屈曲部31の内面と同形状の内部切欠47が形成されており（図５）、これにより、屈曲部31のなすＶ字形の内側を臨む部分が側方に開放されている。また、側方より見て、内部切欠47と重なるように外部切欠48がスカート44に形成されている（図６）。
【００２１】
屈曲部31の長さの中央には下向き膨出状保形部51が屈曲部31の頂部の両側にまたがるように設けられている。保形部51は、屈曲部31の幅方向にのびた軸線を有する半円形の横断面を有している（図３）。保形部51の下端部は、屈曲部31の底部とほぼ同レベルで、水平となされている。
【００２２】
天板42の可動部側の中央部には上向き球面部52が設けられている。天板42の固定部33側の中央部には下方突出三角錐状補強リブ53が設けられている。
【００２３】
容器本体フランジ21に対する蓋フランジ43のシールは、可動部32側で、剥離し易いように弱めであることが好ましく、固定部33側では、剥離し難いように強めであることが好ましい。
【００２４】
容器の開封に際しては、摘み45をつまんで引き上げ、容器本体フランジ21に対する蓋フランジ43の可動部側のシールを引き剥がせばよい。そのシールの剥がしが屈曲部31の頂部まで達すると、可動部32は、ほぼ直立姿勢となる（図７）。この引きはがしの間に、屈曲部31が変形させられることになるが、屈曲部31の長さの中央部のなすＶ字形の開閉は保形部51によって拘束されるため、屈曲部31の長さの中央部は開かれないで、可動部32がほぼ直立姿勢となっても、Ｖ字形の角度は、ほぼ９０度を保ったままである。一方、屈曲部31の長さの両端部のなすＶ字形の開閉は自在であるため、屈曲部31の長さの両端部は開かれて、可動部32がほぼ直立姿勢となった時点で、屈曲部31の長さの両端部のなすＶ字形の角度はほぼ１８０度となる（図７および図８）。これにより、屈曲部31の長さの中央部では引っ張り合い、屈曲部31の長さの両端部では突っ張るように作用して、可動部32を開封して直立した状態が保持される。
【００２５】
容器を再封するには、直立した可動部32を倒して、屈曲部31を元の形状に戻し、最終的に、嵌合凹部22に嵌合凸部46をはめ入れると、可動部32は閉鎖状態に保持される。
【００２６】
図９〜図１１に、第２の実施の形態が示されているが、容器本体は図示されていない。第１の実施の形態による蓋12は、楕円状であったが、第２の実施の形態による蓋61は、方形状である。この形状の相違以外、機能的面では、双方の実施の形態による蓋12、61は、実質的にほぼ同一である。以下、双方の実施の形態の相違点のみについて、説明し、対応する部分については、同一の符号を付して、その説明は省略する。
【００２７】
天板42の可動部側には第１補強リブ71が設けられている。第１補強リブ71は、上向きに突出させられた横断面逆Ｖ字状のものであるが、その断面形状は、一様ではなく、屈曲部31の可動部側底部に連接させられた部分で最大の幅および高さを有し、そこから離れるにしたがって、幅および高さを漸次減じていき、天板42の可動部側のほぼ中央で終わっている。
【００２８】
天板42の固定部側には第２補強リブ72が設けられている。第２補強リブ72は、第１の実施形態の補強リブ53と同一形状のものである。
【００２９】
図１２および図１３に、第３の実施の形態が示されている。第３の実施の形態は、第２の実施の形態と同様に蓋81のみが図示されている。
【００３０】
第３の実施の形態は、第２の実施の形態から、第２補強リブ72を削除したものに相当する。天板42の可動部側にのみ補強リブ82が設けられている。天板42の固定部側は、その全体にわたって平坦状に形成されている。
【００３１】
屈曲部31の横断面形状としては、上記の他に、逆Ｕ字状、矩形状等容器外方に向かって山形に膨出した形状であればどのううなものでも良いが、横断面Ｖ字状とすることが開封状態の保持性の点で最も好ましい。
【００３２】
可動部32の面積は、必ずしも固定部33の面積より大きくする必要は無いが、例えば、ヨーグルトのような食品を収容する場合、食品の取り出し性の点で、可動部32の面積を固定部33の面積より大きくすることが好ましい。
【００３３】
補強リブ53、71、72は、可動部32および固定部33の少なくともいずれか一方の天板に設けるようにすれば、可動部32を開封した状態に保持することができるが、可動部32又は固定部33のうち、面積の小さい側の天板に設けるようにした方が、可動部32をより大きく開いた状態で確実に保持できるようになる点で好ましい。
【００３４】
上記では、容器本体11と蓋12は、各々のフランジ21、43部分でヒートシールされたものが例示されているが、ヒートシールに限らず、公知方法、例えば、互いの嵌合のみによるものでもよい。
【図面の簡単な説明】
【００３５】
【図１】この発明による容器蓋の平面図である。
【図２】図１のII−II線にそう断面図である。
【図３】図１のIII−III線にそう断面図である。
【図４】図１のIV−IV線にそう断面図である。
【図５】図１のＶ−Ｖ線にそう断面図である。
【図６】図１のVI−VI線から見た矢視図である。
【図７】同蓋の開封状態を示す断面図である。
【図８】同斜視図である。
【図９】この発明による他の容器蓋の平面図である。
【図１０】図９のＸ−Ｘ線にそう断面図である。
【図１１】図９のXI−XI線にそう断面図である。
【図１２】この発明によるさらなる他の容器蓋の平面図である。
【図１３】図１２のXIII−XIII線にそう断面図である。
【符号の説明】
【００３６】
11  容器本体
31  屈曲部
32  可動部
33  固定部
51  保形部
【図１】
2009107662.tif 000003
【図２】
2009107662.tif 000004
【図３】
2009107662.tif 000005
【図４】
2009107662.tif 000006
【図５】
2009107662.tif 000007
【図６】
2009107662.tif 000008
【図７】
2009107662.tif 000009
【図８】
2009107662.tif 000010
【図９】
2009107662.tif 000011
【図１０】
2009107662.tif 000012
【図１１】
2009107662.tif 000013
【図１２】
2009107662.tif 000014
【図１３】
2009107662.tif 000015